(57)【要約】      （修正有）【課題】空気漏れを最小にすることが可能なボールの臍ゴムを提供する。【解決手段】臍ゴム本体の底側内部に半円体球や半円体柱形などの空体部７に空気漏れ空気流出封鎖弁となる数多のソフトシール状ゴム小チップ片群６を、臍ゴム底部スリット５より装入してなる装置でなるもので、即ち空気送出入針による空気送入する際空気導出入溝通過後の空気送出入針の針通過跡や、臍ゴムの針通過跡の弾性の緩み、ショックなどによる微量の空気漏れが生じた時等、数多のソフトシール状ゴム小チップ片小チップ片群６が、速やかにボールなど球体内の中空体の空気圧による空圧１０により、ソフトシール状ゴム小チップ片群６が針通過跡部や緩み部を、圧迫封鎖し空気流路は封鎖される。【選択図】図５
2010110593.tif 000002
【特許請求の範囲】
【請求項１】
本発明の臍ゴムにおける空気漏れ空気流出臍ゴム封鎖弁装置は、臍ゴム本体の底側内部に半円体球や半円体柱形などの空体部を設け、同空体部に、空気漏れ空気流出封鎖弁となる数多のソフトシール状ゴム小チップ片群を、臍ゴム底部スリットより装入してなる装置で、即ち、ボールなど球体内の中空体部へ、臍ゴムの空気送出入針をもって空気送入する際、空気導出入溝通過後の空気送出入針の針通過跡や、臍ゴムの針通過跡の弾性の緩み、ショックなどによる微量の空気漏れが生じた時等、数多のソフトシール状ゴム小チップ片、小チップ片群が速やかにボールなど球体内の中空体の空気圧による空圧により、ソフトシール状ゴム小チップ片群が針通過跡部の緩みや空気流出部を、空気圧空圧迫封鎖し、空気流路は封鎖されるもので、小チップ片群は空気漏れ空気流出封鎖弁群体となり、さらなる空気漏れ空気流出を感知した際には、次、また次の小チップ片群が球体内中空体の空気圧圧力による対応封鎖するようソフトシール状ゴム小チップ片群なる封鎖弁が作動し、二重三重の連続封鎖することを特徴とした空気漏れ空気流出防止弁装置で、特に通常空気送出入に対しては、臍ゴム空気導入溝と、新たに設けられた空気漏れ空気流出封鎖弁装置なる機能部を貫通空気送出入し、弁装置小チップ片群間を通過して空気送出入となり空気送出入流路の封鎖弁は作動することなく空気送出入できる特質も併せ持つ空気漏れ空気流出封鎖弁装置。
【発明の詳細な説明】
【技術分野】
【０００１】  臍ゴム本来機能は、空気漏れ空気流出防止機能体であり、空気漏れ空気流出防止機能体にもかかわらず、臍ゴム本体の弾力の緩みや、空気送出入口にあたる空気送出入針跡からの空気漏れ空気流出など生じることがある。本発明は、空気漏れ空気流出防止機能体を臍ゴム内に空気流出通路の封鎖弁を設けることによる空気漏れ空気流出防止に関するものである。
【背景技術】
【０００２】  臍ゴムによる中空体への空気送出入は、臍ゴムに空気送出入針をもって、ボールなど球体の中空体の臍ゴムを通し空気送出入を司るもので、臍ゴムの空気漏れ空気流出防止本体機能や、臍ゴム中心部にゼリー状合成ゴムや、樹脂などによる空気漏れ空気流出防止機能を施したものがある。【０００３】
【特許文献１】実用新案出願公開  昭和５４−１４２５６４
【特許文献２】実開  昭５２７７５２
【特許文献３】特開  第９６２５７号  他にも特に記載すべき先行技術文献はありません。
【発明の開示】
【発明が解決しようとする課題】
【０００４】  臍ゴム本体の機能性を問うもので、従来の臍ゴムの機能構造では、臍ゴムを通りボールなど球体の中空体への空気送出入後の機密性が弱く、空気漏れ、空気流出の防止機能に多大な難点があり、空気送出入針の挿入後の、針通過跡などに於ける空気漏れ空気流出防止機能度は弱く、度々空気送入の必要が生じる。
【課題を解決するための手段】
【０００５】  臍ゴム本体の底側内部に半円体球や半円体柱形などの空体部を設け、同空体部に、空気漏れ空気流出封鎖弁となる数多のソフトシール状ゴム小チップ片群を、臍ゴム底部スリットより装入してなる装置で、即ち、ボールなど球体内の中空体部へ、臍ゴムの空気送出入針をもって空気送入する際、空気導出入溝通過後の空気送出入針の針通過跡や、臍ゴムの針通過跡の弾性の緩み、ショックなどによる微量の空気漏れが生じた時等、数多のソフトシール状ゴム小チップ片、小チップ片群が速やかにボールなど球体内の中空体の空気圧による空圧により、ソフトシール状ゴム小チップ片群が針通過跡部の緩みや空気流出部を、空気圧空圧迫封鎖し、空気流路は封鎖されるもので、小チップ片群は空気漏れ空気流出封鎖弁群体となり、さらなる空気漏れ空気流出を感知した際には、次、また次の小チップ片群が球体内中空体の空気圧圧力による対応封鎖するようソフトシール状ゴム小チップ片群なる封鎖弁が作動し、二重三重の連続封鎖することを特徴とした空気漏れ空気流出防止弁装置で、特に通常空気送出入に対しては、臍ゴム空気導入溝と、新たに設けられた空気漏れ空気流出封鎖弁装置なる機能部を貫通空気送出入し、弁装置小チップ片群間を通過して空気送出入となり空気送出入流路の封鎖弁は作動することなく空気送出入できる特質も併せ持つ空気漏れ空気流出封鎖弁装置で、すべての課題を解決する空気漏れ空気流出封鎖弁装置を設ける。
【発明の効果】
【０００６】  本発明は、ボールなど球体の中空体への空気の空気送出入具、空気漏れ空気流出封鎖弁装置つき臍ゴムで、臍ゴム本体底側内部に設けられた空気漏れ空気流出封鎖弁装置つき臍ゴムで、その働きは、臍ゴムに空気送出入における針通過跡や、臍ゴム自体の弾性劣化など空気漏れ空気流出を、臍ゴム内において如何なる小さな空気漏れ空気流出に対して、臍ゴム本体底側内部空体部に設けられた封鎖弁体ソフトシール状ゴム小チップ片群を設けることにより、空気漏れ空気流出を感知し、チップ片群が球体内中空体の空気圧圧力により空気漏れ空気流出封鎖弁装置のチップ片群が作動し封鎖となる。【０００７】  空気漏れ空気流出封鎖弁装置内封鎖弁は、ソフトシール状ゴム小チップ片群なるチップ片群がもたらす封鎖弁が、空気漏れ空気流出を感知したとき、ボールなど球体の中空体の空気圧による空圧により、ソフトシール状ゴム小チップ片群が針通過跡部の緩みや空気流出部を、臍ゴム下部のスリット隙間通過する空気圧空圧迫封鎖、空気流路は封鎖されるもので、小チップ片群は空気漏れ空気流出封鎖弁群体となり、さらなる空気漏れ空気流出感知した際には、次、また次の小チップ片群がボールなど球体内中空体の空気圧圧力による対応連続封鎖するようソフトシール状ゴム小チップ片群なる封鎖弁が作動し、連続封鎖することを更なる特徴とした空気漏れ空気流出防止弁装置。【０００８】  本発明の、ボールなど球体の中空体への空気の空気送出入具、空気漏れ空気流出封鎖弁装置は、ソフトシール状ゴム小チップ片群なるソフトシール状やゴム小チップ片群の粘質樹脂などからなるもので非鉱物からなり、金鉱物加工と比較するも簡単加工、安価なる価格設定が可能である。封鎖における空気圧圧力は、球体の中空体への空気による自然体からの効果的、機能的に利用するものである。【０００９】  空気漏れ空気流出封鎖弁装置においての液状封鎖液の使用は無く空気圧圧力によるソフトシール状ゴム小チップ片群なる封鎖弁が作動する空気漏れ空気流出封鎖弁装置である。
【発明を実施するための最良の形態】
【００１０】  本発明の実施例図について図面を参照して説明する。図２は、従来の臍ゴムの中心部を通る空気送出入針を挿入した断面図で、ボールなど球体内の中空体への空気送出入する臍ゴム（１）で、臍ゴム自体の弾性による空気漏れ空気流出防止化されたものであるが、図１，３，５においては、本発明の実施封鎖弁例である。特に図５に示すように、空気送入、針抜後における空気導出入溝跡の緩みなどによる空気漏れ空気流出の空気導出入溝が開き（３´）流出を感知したとき、球体の中空体内の空気圧圧力（１０）により、臍ゴム本体底側内部に設けられた空体部（７）内、ソフトシール状ゴム小チップ片群（８）により封鎖されるもので、小チップ片群（８）は空気漏れ空気流出封鎖弁群体となり、さらなる空気漏れ空気流出感知には次、また次の小チップ片群がボールなど球体内中空体（１）の空気圧圧力（１０）による対応連続封鎖するようソフトシール状ゴム小チップ片群（６）なる封鎖弁が作動し、連続封鎖することを更なる特徴とした空気漏れ空気流出防止弁装置。
【図面の簡単な説明】
【００１１】
【図１】ボールなど球体内の中空体（１）に設けられた本発明の臍ゴム部の中心部を通る、空気導出入溝（３）、ソフトシール状ゴム小チップ片群（６）挿入設置した臍ゴム底側内部の空体部（７）、スリット部（１１）に、空気送出入針（９）を貫通挿入した断面図である。
【図２】従来の臍ゴムで、ボールなど球体内の中空体（１）に設けられた従来型の臍ゴム部の中心部を通る、空気導出入溝（３）に封鎖弁体空気送出入針（９）を貫通挿入した断面図である。
【図３】ボールなど球体内の中空体（１）に設けられた本発明の臍ゴム部の中心部を通る、空気導出入溝（３）、ソフトシール状ゴム小チップ片群（６）挿入設置した臍ゴム底側内部の空体部（７）、スリット部（５）の断面図に球体の中空体内の空気圧圧力が作動（１０）前なる空気漏れ空気流出封鎖弁装置図。
【図４】臍ゴム底部の底面図。
【図５】ボールなど球体内の中空体（１）に設けられた本発明の臍ゴム部の中心部を通る、空気導出入溝（３）、ソフトシール状ゴム小チップ片群（６）挿入設置した臍ゴム底側内部の空体部（７）、スリット部（５）の断面図に作動（１０）後の空気漏れ空気流出封鎖弁装置図。
【図６】臍ゴム（８）底側内部に設けられた空体部（７）に、スリット部（１１）からソフトシール状ゴム小チップ片群（８）を挿入設置した拡大透視斜視図である。
【符号の説明】
【００１２】１    ボールなど球体の中空体
２    ボールなど球体の表面
３    空気導出入溝
３´  空気漏れ空気流出中の空気導出入溝
４    臍ゴム空気導出入溝
５    スリット部
６    ソフトシール状ゴム小チップ片群
７    臍ゴム本体底側内部に設けられた空体部
８    臍ゴム本体
９    空気送出入針
１０  球体の中空体内の空気圧圧力
１１  空気送出入針の針穴部
【図１】
2010110593.tif 000003
【図２】
2010110593.tif 000004
【図３】
2010110593.tif 000005
【図４】
2010110593.tif 000006
【図５】
2010110593.tif 000007
【図６】
2010110593.tif 000008
【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
本発明の臍ゴムにおける空気漏れ空気流出臍ゴム封鎖弁装置は、臍ゴム本体の底側内部に半円体球や半円体柱形などの空体部を設け、同空体部に、空気漏れ空気流出封鎖弁となる数多のソフトシール状ゴム小チップ片群を、臍ゴム底部スリットより装入してなる装置で、即ち、ボールなど球体内の中空体部へ、臍ゴムの空気送出入針をもって空気送入する際、空気導出入溝通過後の空気送出入針の針通過跡や、臍ゴムの針通過跡の弾性の緩み、ショックなどによる微量の空気漏れが生じた時等、数多のソフトシール状ゴム小チップ片、小チップ片群が速やかにボールなど球体内の中空体の空気圧による空圧により、ソフトシール状ゴム小チップ片群が針通過跡部の緩みや空気流出部を、空気圧空圧迫封鎖し、空気流路は封鎖されるもので、小チップ片群は空気漏れ空気流出封鎖弁群体となり、さらなる空気漏れ空気流出を感知した際には、次、また次の小チップ片群が球体内中空体の空気圧圧力による対応封鎖するようソフトシール状ゴム小チップ片群なる封鎖弁が作動し、二重三重の連続封鎖することを特徴とした空気漏れ空気流出防止弁装置で、さらに、小チップ片群に、小チップ片同士の絡みのない軽粘着性を持たすことにより、防止弁の密着封鎖、恒久封鎖化を可能化とするもので、また、特に通常空気送出入に対しては、臍ゴム空気導入溝と、新たに設けられた空気漏れ空気流出封鎖弁装置なる機能部を貫通空気送出入し、弁装置小チップ片群間を通過して空気送出入となり空気送出入流路の封鎖弁は作動することなく空気送出入できる特質も併せ持つ空気漏れ空気流出封鎖弁装置。
【手続補正２】
【補正対象書類名】明細書
【補正対象項目名】０００５
【補正方法】変更
【補正の内容】
【０００５】  臍ゴム本体の底側内部に半円体球や半円体柱形などの空体部を設け、同空体部に、空気漏れ空気流出封鎖弁となる数多のソフトシール状ゴム小チップ片群を、臍ゴム底部スリットより装入してなる装置で、即ち、ボールなど球体内の中空体部へ、臍ゴムの空気送出入針をもって空気送入する際、空気導出入溝通過後の空気送出入針の針通過跡や、臍ゴムの針通過跡の弾性の緩み、ショックなどによる微量の空気漏れが生じた時等、数多のソフトシール状ゴム小チップ片、小チップ片群が速やかにボールなど球体内の中空体の空気圧による空圧により、ソフトシール状ゴム小チップ片群が針通過跡部の緩みや空気流出部を、空気圧空圧迫封鎖し、空気流路は封鎖されるもので、小チップ片群は空気漏れ空気流出封鎖弁群体となり、さらなる空気漏れ空気流出を感知した際には、次、また次の小チップ片群が球体内中空体の空気圧圧力による対応封鎖するようソフトシール状ゴム小チップ片群なる封鎖弁が作動し、二重三重の連続封鎖することを特徴とした空気漏れ空気流出防止弁装置で、さらに、小チップ片群に、小チップ片同士の絡みのない軽粘着性を持たすことにより、防止弁の密着封鎖、恒久封鎖化を可能化とするもので、また、特に通常空気送出入に対しては、臍ゴム空気導入溝と、新たに設けられた空気漏れ空気流出封鎖弁装置なる機能部を貫通空気送出入し、弁装置小チップ片群間を通過して空気送出入となり空気送出入流路の封鎖弁は作動することなく空気送出入できる特質も併せ持つ空気漏れ空気流出封鎖弁装置で、すべての課題を解決する空気漏れ空気流出封鎖弁装置を設ける。
【手続補正３】
【補正対象書類名】明細書
【補正対象項目名】０００６
【補正方法】変更
【補正の内容】
【０００６】  本発明は、ボールなど球体の中空体への空気の空気送出入具、空気漏れ空気流出封鎖弁装置つき臍ゴムで、臍ゴム本体底側内部に設けられた空気漏れ空気流出封鎖弁装置つき臍ゴムで、その働きは、臍ゴムに空気送出入における針通過跡や、臍ゴム自体の弾性劣化など空気漏れ空気流出を、臍ゴム内において如何なる小さな空気漏れ空気流出に対して、臍ゴム本体底側内部空体部に設けられた封鎖弁体ソフトシール状ゴム小チップ片群を設けることにより、空気漏れ空気流出を感知し、チップ片群が球体内中空体の空気圧圧力により空気漏れ空気流出封鎖弁装置のチップ片群が作動し封鎖となる。さらに、小チップ片群に、小チップ片同士の絡みのない軽粘着性を持たすことにより、防止弁の密着封鎖、恒久封鎖化を可能化となる。
【手続補正書】
【提出日】平成20年12月8日(2008.12.8)
【手続補正１】
【補正対象書類名】特許請求の範囲
【補正対象項目名】請求項１
【補正方法】変更
【補正の内容】
【請求項１】
本発明の臍ゴムにおける空気漏れ空気流出臍ゴム封鎖弁装置は、臍ゴム本体の底側内部に半円体球や半円体柱形などの空体部を設け、同空体部に、空気漏れ空気流出封鎖弁となる数多のソフトシール状ゴム小チップ片群を、臍ゴム底部スリットより装入してなる装置で、即ち、ボールなど球体内の中空体部へ、臍ゴムの空気送出入針をもって空気送入する際、空気導出入溝通過後の空気送出入針の針通過跡や、臍ゴムの針通過跡の弾性の緩み、ショックなどによる微量の空気漏れが生じた時等、数多のソフトシール状ゴム小チップ片、小チップ片群が速やかにボールなど球体内の中空体の空気圧による空圧により、ソフトシール状ゴム小チップ片群が針通過跡部の緩みや空気流出部を、空気圧空圧迫封鎖し、空気流路は封鎖されるもので、小チップ片群は空気漏れ空気流出封鎖弁群体となり、さらなる空気漏れ空気流出を感知した際には、次、また次の小チップ片群が球体内中空体の空気圧圧力による対応封鎖するようソフトシール状ゴム小チップ片群なる封鎖弁が作動し、二重三重の連続封鎖することを特徴とした空気漏れ空気流出防止弁装置で、さらに、空気漏れ空気流出防止弁装置の恒久的封鎖をするべき装置として、小チップ片群の小チップ片を、小チップ片同士の絡みの無い袋状浸透性皮膜小チップ片、袋内には、吸引時浸透皮膜反応する接着剤入り浸透性剤を内在することにより、緩みや空気流出の発生に対し、接着剤入り浸透性剤内在の袋状浸透性皮膜小チップ片群が、緩みや空気流出の発生部に対応、小チップ片は、中空体の外部への吸引、さらにボールなど球体内の中空体部の空気圧の空圧迫による封鎖圧に、接着剤内在片の接着剤入り浸透性剤が接着反応し、緩みや空気流出部を接着密封封鎖し、完全なる空気漏れ空気流出防止恒久封鎖弁装置体となるもので、また、特に通常空気送出入に対しては、臍ゴム空気導入溝と、新たに設けられた空気漏れ空気流出封鎖弁装置なる機能部を貫通空気送出入し、弁装置小チップ片群間を通過して空気送出入となり空気送出入流路の封鎖弁は作動することなく空気送出入できる特質も併せ持つ空気漏れ空気流出封鎖弁装置。
【手続補正２】
【補正対象書類名】明細書
【補正対象項目名】０００５
【補正方法】変更
【補正の内容】
【０００５】  臍ゴム本体の底側内部に半円体球や半円体柱形などの空体部を設け、同空体部に、空気漏れ空気流出封鎖弁となる数多のソフトシール状ゴム小チップ片群を、臍ゴム底部スリットより装入してなる装置で、即ち、ボールなど球体内の中空体部へ、臍ゴムの空気送出入針をもって空気送入する際、空気導出入溝通過後の空気送出入針の針通過跡や、臍ゴムの針通過跡の弾性の緩み、ショックなどによる微量の空気漏れが生じた時等、数多のソフトシール状ゴム小チップ片、小チップ片群が速やかにボールなど球体内の中空体の空気圧による空圧により、ソフトシール状ゴム小チップ片群が針通過跡部の緩みや空気流出部を、空気圧空圧迫封鎖し、空気流路は封鎖されるもので、小チップ片群は空気漏れ空気流出封鎖弁群体となり、さらなる空気漏れ空気流出を感知した際には、次、また次の小チップ片群が球体内中空体の空気圧圧力による対応封鎖するようソフトシール状ゴム小チップ片群なる封鎖弁が作動し、二重三重の連続封鎖することを特徴とした空気漏れ空気流出防止弁装置で、さらに、空気漏れ空気流出防止弁装置の恒久的封鎖をするべき装置として、小チップ片群の小チップ片を、小チップ片同士の絡みの無い袋状浸透性皮膜小チップ片、袋内には、吸引時浸透皮膜反応する接着剤入り浸透性剤を内在することにより、緩みや空気流出の発生に対し、接着剤入り浸透性剤内在の袋状浸透性皮膜小チップ片群が、緩みや空気流出の発生部に対応、小チップ片は、中空体の外部への吸引、さらにボールなど球体内の中空体部の空気圧の空圧迫による封鎖圧に、接着剤内在片の接着剤入り浸透性剤が接着反応し、緩みや空気流出部を接着密封封鎖し、完全なる空気漏れ空気流出防止恒久封鎖弁装置体となるもので、また、特に通常空気送出入に対しては、臍ゴム空気導入溝と、新たに設けられた空気漏れ空気流出封鎖弁装置なる機能部を貫通空気送出入し、弁装置小チップ片群間を通過して空気送出入となり空気送出入流路の封鎖弁は作動することなく空気送出入できる特質も併せ持つ空気漏れ空気流出封鎖弁装置を設ける。
【手続補正３】
【補正対象書類名】明細書
【補正対象項目名】０００６
【補正方法】変更
【補正の内容】
【０００６】  本発明は、ボールなど球体の中空体への空気の空気送出入具、空気漏れ空気流出封鎖弁装置つき臍ゴムで、臍ゴム本体底側内部に設けられた空気漏れ空気流出封鎖弁装置つき臍ゴムで、その働きは、臍ゴムに空気送出入における針通過跡や、臍ゴム自体の弾性劣化など空気漏れ空気流出を、臍ゴム内において如何なる小さな空気漏れ空気流出に対して、臍ゴム本体底側内部空体部に設けられた封鎖弁体ソフトシール状ゴム小チップ片群を設けることにより、空気漏れ空気流出を感知し、チップ片群が球体内中空体の空気圧圧力により空気漏れ空気流出封鎖弁装置のチップ片群が作動し封鎖となる。さらに、空気漏れ空気流出防止弁装置の恒久的封鎖をするべき装置として、小チップ片群の小チップ片を、小チップ片同士の絡みの無い袋状浸透性皮膜小チップ片、袋内には、吸引時浸透皮膜反応する接着剤入り浸透性剤を内在することにより、緩みや空気流出の発生に対し、接着剤入り浸透性剤内在の袋状浸透性皮膜小チップ片群が、緩みや空気流出の発生部に対応、小チップ片は、中空体の外部への吸引、さらにボールなど球体内の中空体部の空気圧の空圧迫による封鎖圧に、接着剤内在片の接着剤入り浸透性剤が接着反応し、緩みや空気流出部を接着密封封鎖し、完全なる空気漏れ空気流出防止恒久封鎖弁装置体となる。
【手続補正４】
【補正対象書類名】明細書
【補正対象項目名】０００７
【補正方法】変更
【補正の内容】
【０００７】  空気漏れ空気流出封鎖弁装置内封鎖弁は、ソフトシール状ゴム小チップ片群を、小チップ片同士の絡みの無い袋状浸透性皮膜小チップ片、袋内には、吸引時浸透皮膜反応する接着剤入り浸透性剤を内在するチップ片群にすることにより、空気漏れ空気流出を感知したとき、中空体の外部への吸引、ボールなど球体の中空体の空気圧による空圧により、ソフトシール状ゴム小チップ片群が針通過跡部の緩みや空気流出部を、臍ゴム下部のスリット隙間通過する空気圧空圧迫封鎖、空気流路は封鎖されるもので、小チップ片群は空気漏れ空気流出封鎖弁群体となり、さらなる空気漏れ空気流出感知した際には、次、また次の小チップ片群がボールなど球体内中空体の空気圧圧力による対応連続封鎖するよう小チップ片群なる封鎖弁が作動する。小チップ片同士の絡みの無い袋状浸透性皮膜小チップ片は、袋内の吸引時浸透皮膜反応する接着剤入り浸透性剤が、緩みや空気流出の発生部を、完全封鎖することを更なる特徴とした空気漏れ空気流出防止弁装置。
【手続補正５】
【補正対象書類名】明細書
【補正対象項目名】０００８
【補正方法】変更
【補正の内容】
【０００８】小チップ片同士の絡みの無い袋状浸透性皮膜小チップ片、袋内には、吸引時浸透皮膜反応する接着剤入り被浸透性剤を内在するチップ片群がもたらす封鎖弁は、封鎖効力の大なる封鎖弁となり、封鎖における空気圧圧力は、球体の中空体への空気による自然体からの効果的、機能的に利用するものである。
【手続補正６】
【補正対象書類名】明細書
【補正対象項目名】００１０
【補正方法】変更
【補正の内容】
【００１０】  本発明の実施例図について図面を参照して説明する。図２は、従来の臍ゴムの中心部を通る空気送出入針を挿入した断面図で、ボールなど球体内の中空体への空気送出入する臍ゴム（１）で、臍ゴム自体の弾性による空気漏れ空気流出防止化されたものであるが、図１，３，５においては、本発明の実施封鎖弁例である。特に図５に示すように、空気送入、針抜後における空気導出入溝跡の緩みなどによる空気漏れ空気流出の空気導出入溝が開き（３´）流出を感知したとき、球体の中空体内の空気圧圧力（１０）により、臍ゴム本体底側内部に設けられた空体部（７）内、ソフトシール状ゴム小チップ片群（８）により封鎖されるもので、小チップ片群（８）は空気漏れ空気流出封鎖弁群体となり、さらなる空気漏れ空気流出感知には次、また次の小チップ片群がボールなど球体内中空体（１）の空気圧圧力（１０）による対応連続封鎖するようソフトシール状ゴム小チップ片群、または、小チップ片同士の絡みの無い袋状浸透性皮膜小チップ片、袋内には、吸引時浸透皮膜反応する接着剤入り被浸透性剤を内在するチップ片群（６）なる封鎖弁が作動し、空気漏れ空気流出防止または、完全封鎖化することを更なる特徴とした空気漏れ空気流出防止弁装置。
【手続補正７】
【補正対象書類名】明細書
【補正対象項目名】００１１
【補正方法】変更
【補正の内容】
【００１１】
【図１】ボールなど球体内の中空体（１）に設けられた本発明の臍ゴム部の中心部を通る、空気導出入溝（３）、ソフトシール状ゴム小チップ片群、または、袋状浸透性皮膜小チップ片、袋内には、吸引時浸透皮膜反応する接着剤入り被浸透性剤を内在するチップ片群（６）挿入設置した臍ゴム底側内部の空体部（７）、スリット部（１１）に、空気送出入針（９）を貫通挿入した断面図である。
【図２】従来の臍ゴムで、ボールなど球体内の中空体（１）に設けられた従来型の臍ゴム部の中心部を通る、空気導出入溝（３）に封鎖弁体空気送出入針（９）を貫通挿入した断面図である。
【図３】ボールなど球体内の中空体（１）に設けられた本発明の臍ゴム部の中心部を通る、空気導出入溝（３）、ソフトシール状ゴム小チップ片群、または、袋状浸透性皮膜小チップ片、袋内には、吸引時浸透皮膜反応する接着剤入り被浸透性剤を内在するチップ片群（６）挿入設置した臍ゴム底側内部の空体部（７）、スリット部（５）の断面図に球体の中空体内の空気圧圧力が作動（１０）前なる空気漏れ空気流出封鎖弁装置図。
【図４】臍ゴム底部の底面図。
【図５】ボールなど球体内の中空体（１）に設けられた本発明の臍ゴム部の中心部を通る、空気導出入溝（３）、ソフトシール状ゴム小チップ片群、または、袋状浸透性皮膜小チップ片、袋内には、吸引時浸透皮膜反応する接着剤入り被浸透性剤を内在するチップ片群（６）挿入設置した臍ゴム底側内部の空体部（７）、スリット部（５）の断面図に作動（１０）後の空気漏れ空気流出封鎖弁装置図。
【図６】臍ゴム（８）底側内部に設けられた空体部（７）に、スリット部（１１）からソフトシール状ゴム小チップ片群（８）を挿入設置した拡大透視斜視図である。
【手続補正８】
【補正対象書類名】明細書
【補正対象項目名】００１２
【補正方法】変更
【補正の内容】
【００１２】１    ボールなど球体の中空体２    ボールなど球体の表面３    空気導出入溝３´  空気漏れ空気流出中の空気導出入溝４    臍ゴム空気導出入孔５    スリット部６    ソフトシール状ゴム小チップ片群、または、袋状浸透性皮膜小チップ片、袋内には、吸引時浸透皮膜反応する接着剤入り被浸透性剤を内在するチップ片群７    臍ゴム本体底側内部に設けられた空体部８    臍ゴム本体９    空気送出入針１０  球体の中空体内の空気圧圧力１１  空気送出入針の針穴部
【手続補正書】
【提出日】平成21年4月21日(2009.4.21)
【手続補正１】
【補正対象書類名】特許請求の範囲
【補正対象項目名】請求項１
【補正方法】変更
【補正の内容】
【請求項１】
本発明の臍ゴムにおける空気漏れ空気流出臍ゴム封鎖弁装置は、臍ゴム本体の底側内部に空体部を設け、同空体部に、空気漏れ空気流出封鎖弁となる数多のソフトシール状ゴム小チップ片群を、臍ゴム底部スリットより装入してなる装置で、即ち、ボールなど球体内の中空体部へ、臍ゴムの空気送出入針をもって空気送入する際、空気導出入溝通過後の空気送出入針の針通過跡や、臍ゴムの針通過跡の弾性の緩み、ショックなどによる微量の空気漏れが生じた時等、数多のソフトシール状ゴム小チップ片、小チップ片群が速やかにボールなど球体内の中空体の空気圧による空圧により、ソフトシール状ゴム小チップ片群が針通過跡部の緩みや空気流出部を、空気圧空圧迫封鎖し、空気流路は封鎖されるもので、小チップ片群は空気漏れ空気流出封鎖弁群体となり、さらなる空気漏れ空気流出を感知した際には、次、また次の小チップ片群が球体内中空体の空気圧圧力による対応封鎖するようソフトシール状ゴム小チップ片群なる封鎖弁が作動し、二重三重の連続封鎖することを特徴とした空気漏れ空気流出防止弁装置。
【手続補正２】
【補正対象書類名】明細書
【補正対象項目名】０００５
【補正方法】変更
【補正の内容】
【０００５】  臍ゴム本体の底側内部に半円体球や半円体柱形などの空体部を設け、同空体部に、空気漏れ空気流出封鎖弁となる数多のソフトシール状ゴム小チップ片群を、臍ゴム底部スリットより装入してなる装置で、即ち、ボールなど球体内の中空体部へ、臍ゴムの空気送出入針をもって空気送入する際、空気導出入溝通過後の空気送出入針の針通過跡や、臍ゴムの針通過跡の弾性の緩み、ショックなどによる微量の空気漏れが生じた時等、数多のソフトシール状ゴム小チップ片、小チップ片群が速やかにボールなど球体内の中空体の空気圧による空圧により、ソフトシール状ゴム小チップ片群が針通過跡部の緩みや空気流出部を、空気圧空圧迫封鎖し、空気流路は封鎖されるもので、小チップ片群は空気漏れ空気流出封鎖弁群体となり、さらなる空気漏れ空気流出を感知した際には、次、また次の小チップ片群が球体内中空体の空気圧圧力による対応封鎖するようソフトシール状ゴム小チップ片群なる封鎖弁が作動し、二重三重の連続封鎖することを特徴とした空気漏れ空気流出防止弁装置で、特に通常空気送出入に対しては、臍ゴム空気導入溝と、新たに設けられた空気漏れ空気流出封鎖弁装置なる機能部を貫通空気送出入し、弁装置小チップ片群間を通過して空気送出入となり空気送出入流路の封鎖弁は作動することなく空気送出入できる特質も併せ持つ空気漏れ空気流出封鎖弁装置を設ける。
【手続補正３】
【補正対象書類名】明細書
【補正対象項目名】０００６
【補正方法】変更
【補正の内容】
【０００６】  本発明は、ボールなど球体の中空体への空気の空気送出入具、空気漏れ空気流出封鎖弁装置つき臍ゴムで、臍ゴム本体底側内部に設けられた空気漏れ空気流出封鎖弁装置つき臍ゴムで、その働きは、臍ゴムに空気送出入における針通過跡や、臍ゴム自体の弾性劣化など空気漏れ空気流出を、臍ゴム内において如何なる小さな空気漏れ空気流出に対して、臍ゴム本体底側内部空体部に設けられた封鎖弁体ソフトシール状ゴム小チップ片群を設けることにより、空気漏れ空気流出を感知し、チップ片群が球体内中空体の空気圧圧力により空気漏れ空気流出封鎖弁装置のチップ片群が作動し封鎖となる。
【手続補正４】
【補正対象書類名】明細書
【補正対象項目名】０００７
【補正方法】変更
【補正の内容】
【０００７】  空気漏れ空気流出封鎖弁装置内封鎖弁は、ソフトシール状ゴム小チップ片群なるチップ片郡がもたらす封鎖弁が、空気漏れ空気流出を感知したとき、ボールなど球体の中空体の空気圧による空圧により、ソフトシール状ゴム小チップ片群が針通過跡部の緩みや空気流出部を、臍ゴム下部のスリット隙間通過する空気圧空圧迫封鎖、空気流路は封鎖されるもので、小チップ片群は空気漏れ空気流出封鎖弁群体となり、さらなる空気漏れ空気流出感知した際には、次、また次の小チップ片群がボールなど球体内中空体の空気圧圧力による対応連続封鎖するよう小チップ片群なる封鎖弁が作動し、連鎖封鎖することを更なる特徴とした空気漏れ空気流出防止弁装置。
【手続補正５】
【補正対象書類名】明細書
【補正対象項目名】０００８
【補正方法】変更
【補正の内容】
【０００８】本発明の、ボールなど球体の中空体への空気の空気送出入具、空気漏れ空気流出封鎖弁装置は、ソフトシール状ゴム小チップ片群なるソフトシール状やゴム小チップ片群の粘質樹脂などからなるもので非鉱物からなり、金属物加工と比較するも簡単加工、安価なる価格設定が可能である。封鎖における空気圧圧力は、球体の中空体への空気による自然体からの効果的、機能的に利用するものである。
【手続補正６】
【補正対象書類名】明細書
【補正対象項目名】００１０
【補正方法】変更
【補正の内容】
【００１０】  本発明の実施例図について図面を参照して説明する。図２は、従来の臍ゴムの中心部を通る空気送出入針を挿入した断面図で、ボールなど球体内の中空体への空気送出入する臍ゴム（１）で、臍ゴム自体の弾性による空気漏れ空気流出防止化されたものであるが、図１，３，５においては、本発明の実施封鎖弁例である。特に図５に示すように、空気送入、針抜後における空気導出入溝跡の緩みなどによる空気漏れ空気流出の空気導出入溝が開き（３´）流出を感知したとき、球体の中空体内の空気圧圧力（１０）により、臍ゴム本体底側内部に設けられた空体部（７）内、ソフトシール状ゴム小チップ片群（８）により封鎖されるもので、小チップ片群（８）は空気漏れ空気流出封鎖弁群体となり、さらなる空気漏れ空気流出感知には次、また次の小チップ片群がボールなど球体内中空体（１）の空気圧圧力（１０）による対応連続封鎖するようソフトシール状ゴム小チップ片群（６）なる封鎖弁が作動し、連続封鎖することを更なる特徴とした空気漏れ空気流出防止弁装置。
【手続補正７】
【補正対象書類名】明細書
【補正対象項目名】００１１
【補正方法】変更
【補正の内容】
【００１１】
【図１】ボールなど球体内の中空体（１）に設けられた本発明の臍ゴム部の中心部を通る、空気導出入溝（３）、ソフトシール状ゴム小チップ片群（６）挿入設置した臍ゴム底側内部の空体部（７）、スリット部（１１）に、空気送出入針（９）を貫通挿入した断面図である。
【図２】従来の臍ゴムで、ボールなど球体内の中空体（１）に設けられた従来型の臍ゴム部の中心部を通る、空気導出入溝（３）に封鎖弁体空気送出入針（９）を貫通挿入した断面図である。
【図３】ボールなど球体内の中空体（１）に設けられた本発明の臍ゴム部の中心部を通る、空気導出入溝（３）、ソフトシール状ゴム小チップ片群（６）挿入設置した臍ゴム底側内部の空体部（７）、スリット部（５）の断面図に球体の中空体内の空気圧圧力が作動（１０）前なる空気漏れ空気流出封鎖弁装置図。
【図４】臍ゴム底部の底面図。
【図５】ボールなど球体内の中空体（１）に設けられた本発明の臍ゴム部の中心部を通る、空気導出入溝（３）、ソフトシール状ゴム小チップ片群（６）挿入設置した臍ゴム底側内部の空体部（７）、スリット部（５）の断面図に作動（１０）後の空気漏れ空気流出封鎖弁装置図。
【図６】臍ゴム（８）底側内部に設けられた空体部（７）に、スリット部（１１）からソフトシール状ゴム小チップ片群（８）を挿入設置した拡大透視斜視図である。
【手続補正８】
【補正対象書類名】明細書
【補正対象項目名】００１２
【補正方法】変更
【補正の内容】
【００１２】  １    ボールなど球体の中空体
２    ボールなど球体の表面
３    空気導出入溝
３´  空気漏れ空気流出中の空気導出入溝
４    臍ゴム空気導出入孔
５    スリット部
６    ソフトシール状ゴム小チップ片群
７    臍ゴム本体底側内部に設けられた空体部
８    臍ゴム本体
９    空気送出入針
１０  球体の中空体内の空気圧圧力
１１  空気送出入針の針穴部